(57)【要約】【課題】  電子ビームに対するコンバーゼンス量が少ない場合、電子銃において、ビームスポット変形を招くことなく、且つ画面センターと周辺とのスタティックフォーカス電圧の電圧差をゼロとした、レンズ強度の弱い静電四重極レンズの形成を可能にする。【解決手段】  静電四重極レンズを形成する複数の電極Ｇ4A，Ｇ4B，Ｇ4Cを有し、電極Ｇ4A，Ｇ4C，Ｇ4Bのビーム透過孔となる角孔を、縦横比がビームスポットを変形しない程度に大きくした縦長形状とし、一方の電極Ｇ4A，Ｇ4Cと他方の電極Ｇ4Bの夫々の角孔４Ａ，４Ｃと４Ｂの縦寸法ＶｄとＶｓを制御して、前記静電四重極レンズ１４のレンズ強度を制御して成る。【選択図】      図１ 
2005203233.tif 000002
【特許請求の範囲】
【請求項１】
静電四重極レンズを形成する複数の電極を有し、
前記電極のビーム透過孔となる角孔を、縦横比がビームスポットを変形しない程度に大きくした縦長形状とし、
前記一方の電極と他方の電極の夫々の角孔の縦寸法を制御して、前記静電四重極レンズのレンズ強度を制御して成る
ことを特徴とする電子銃。
【請求項２】
同色の複数の電子ビームを出射するカソードを有して成る
ことを特徴とする請求項１記載の電子銃。
【請求項３】
静電四重極レンズを形成する複数の電極を有し、
前記電極のビーム透過孔となる角孔を、縦横比がビームスポットを変形しない程度に大きくした縦長形状とし、
前記一方の電極と他方の電極の夫々の角孔の縦寸法を制御して、前記静電四重極レンズのレンズ強度を制御してなる電子銃を備えて成る
ことを特徴とする陰極線管。
【請求項４】
前記電子銃に同色の複数の電子ビームを出射するカソードを有して成る
ことを特徴とする請求項３記載の陰極線管。
【発明の詳細な説明】
【技術分野】
【０００１】
本発明は、陰極線管用の電子銃及び陰極線管に関する。
【背景技術】
【０００２】
陰極線管において、複数の電子ビームが画面周辺に偏向された際のコンバーゼンスは、通常、偏向ヨークあるいはコンバーゼンスヨークの４極磁場を用いて行われている。しかし、この４極磁場によりビームスポットは横長方向い歪みを受ける。陰極線管では、画面周辺に偏向された電子ビームの上記スポット歪みを除去するために、電子銃を構成する電極のうちのダイナミックフォーカス電圧が印加される電極とスタティックフォーカス電圧が印加される電極で形成される内蔵四重極レンズ、即ち静電四重極レンズを用いてビームスポットの補正を行っている。
【０００３】
図１１Ａは、一般的な電子銃の構造を示す。この電子銃１は、複数のカソード、本例では３つのカソードＫ〔Ｋ1 ，Ｋ2 ，Ｋ3 〕を備え、カソードＫからスクリーン（蛍光面）方向へ、同軸上に第１電極Ｇ1 、第２電極Ｇ2 、第３電極Ｇ3 、第４電極Ｇ4 、第５Ａ電極Ｇ5A、第５Ｂ電極Ｇ5B及び第６電極Ｇ6 が順次配列されて構成される。各電極Ｇ1 〜Ｇ6 には、３つのカソードＫｒ，Ｋｇ，Ｋｂに対応して夫々３つのビーム透過孔が形成されている。
【０００４】
動作時、第１電極Ｇ1 には所要の低圧Ｖｃ1 、例えばＧＮＤ電位（０Ｖ）が印加され、第２電極Ｇ2 と第４電極Ｇ4 には所要の低圧Ｖｃ2 が印加される。第３電極Ｇ3 と第５Ａ電極Ｇ5Aにはスタティックフォーカス電圧Ｖｆｓが印加され、第５Ｂ電極Ｇ5Bにはダイナミックフォーカス電圧Ｖｆｄが印加さる。第６電極Ｇ6 にはアノード電圧が印加される。第６電極Ｇ6 の後段にはこれと一体のシールドキャップ２が設けられる。
【０００５】
この電子銃１においては、第５Ａ電極Ｇ5Aと第５Ｂ電極Ｇ5Bにより静電四重極レンズが形成され、第５Ｂ電極Ｇ5Bと第６電極Ｇ6 で主電子レンズが形成される。ここで、図１１Ｂに示すように、第５Ａ電極Ｇ5Aのビーム透過孔５Ａは、画面に対して横長の角孔で形成され、第５Ｂ電極Ｇ5Bのビーム透過孔５Ｂは、画面に対して縦長の角孔で形成される。
【０００６】
電子銃１を備えた陰極線管におけるダイナミックフォーカス（ＤＦ）とは、画面センターと画面周辺とで電子ビームの投射距離が異なることによるディフォーカスを補正するのが目的である。主にこれは陰極線管のデザインで決定される。また、静電四重極レンズは、このダイナミックフォーカス電極Ｇ5Bとスタティックフォーカス電極Ｇ5Aとの電位差で形成される。図８は、電子ビームが主電子レンズＭＬによってスクリーンＳＣＲの画面センターでジャストフォーカスされた状態を示す。Ｖは垂直方向のフォーカス、Ｈは水平方向のフォーカスの状態を示す。図９は、電子ビームがスクリーンＳＣＲの画面周辺でジャストフォーカスされた状態を示す。この画面周辺に投射される電子ビームＢは、主電子レンズＭＬを通過した後、偏向ヨークＣＹにより偏向されたときに偏向ヨークＣＹの４極磁界６により偏向歪みを受け、この偏向歪みが主電子レンズＭＬに内蔵した形の静電四重極レンズ（凹レンズ４ａと凸レンズ４ｂ）４により補正されて、画面周辺上でジャストフォーカスされる。
【０００７】
特許文献１には静電四重極レンズを有した電子銃により、画面周辺の電子ビームの偏向歪みを補正するように構成した陰極線管が開示されている。
【特許文献１】特願２００２−５０３０４
【発明の開示】
【発明が解決しようとする課題】
【０００８】
ところで、陰極線管において複数ビームのコンバーゼンス量を少なくて済む場合には、ビームスポットの受ける偏向歪み量も小さくなる。例えば、先に本出願人は同色の２つの電子ビームを出射し、一方の電子ビームを他方の電子ビームに対して複数水平ライン分遅延させて、輝度の向上を図った陰極線管を提案した。この陰極線管では、２つの電子ビームは蛍光面の一点にコンバーゼンスさせるのではなく、複数水平ライン分れた位置に照射されるようにコンバーゼンス量を少なくしている。このような場合の電子銃の静電四重極レンズとしては、非常に弱いレンズ強度の内蔵四重極レンズを形成する必要があった。
【０００９】
通常、静電四重極レンズのレンズ強度を弱くするには、ダイナミックフォーカス電極及びスタティックフォーカス電極に形成される角型のビーム透過孔の長径を小さくして円形に近づけることによって実現できる。しかし、角形ビーム透過孔が円形ビーム透過孔に近づくにつれて、ビームスポットの変形を招くため、この方法では実用上問題があった。
また、電子銃の電極形状によって非常に弱いレンズ強度の静電四重極レンズを形成できない場合は、スタティックフォーカス電極に印加する電圧を可変させることで実現できる。しかし、この場合、本来画面全域で固定電圧であるべきスタティックフォーカス電圧Ｖｆｓが画面センターと周辺とで異なる。即ち、画面センターと周辺との間でスタティックフォーカス電圧Ｖｆｓの差ΔＦｓが発生する。このため、対向するダイナミックフォーカス電極と同相で振幅の異なるダイナミックフォーカス電圧Ｖｆｄを印加させる必要があり、コスト高が懸念されていた。
【００１０】
図１０は、コンバーゼンス量を少なくした時の電子レンズモデルを示す。偏向ヨークＣＹによる歪みが小さくなった場合は、同じダイナミックフォーカス電圧で形成される静電四重極レンズを弱くしなければならない。構造的にレンズ強度を下げるか、もしくはＶｆｓも上げてダイナミックフォーカス電極とスタティックフォーカス電極の電位差を小さくする必要がある。しかし、従来は上述しように夫々不都合が生じていた。
【００１１】
本発明は、上述の点に鑑み、ビームスポットの変形を招くことなく、スタティックフォーカス電極に印加する電圧を画面センターと周辺で一定として電圧差ΔＦｓをゼロにして、非常にレンズ強度の弱い静電四重極レンズの形成を可能にした電子銃、及びこの電子銃を備えた陰極線管を提供するものである。
【課題を解決するための手段】
【００１２】
本発明に係る電子銃は、静電四重極レンズを形成する複数の電極を有し、電極のビーム透過孔となる角孔を、縦横比がビームスポットを変形しない程度に大きくした縦長形状とし、一方の電極と他方の電極の夫々の角孔の縦寸法を制御して、静電四重極レンズのレンズ強度を制御するようにした構成とする。
本発明に係る陰極線管は、上記電子銃を備えた構成とする。
【００１３】
本発明の電子銃では、静電四重極レンズを形成する複数の電極でおいて、それぞれの電極の角孔の縦横比を大きくした状態で、縦寸法を制御することにより、ビームスポットを変形させることなく、非常に弱いレンズ強度の静電四重極レンズが形成される。即ち、電極の孔形状のみで、弱い静電四重極レンズの形成が可能になる。静電四重極レンズを形成する一方のスタティックフォーカス電極に印加する電圧において、その画面センターと周辺との電圧差をゼロにできる。
本発明の陰極線管では、上記電子銃を備えるので、弱い静電四重極レンズにより電子ビームのコンバーゼンス量を少なくさせたときに、ビームスポットを変形させることがない。スタティックフォーカス電極に印加する電圧は、画面全域で固定電位となり、ダイナミックフォーカスが１系統で済む。
【発明の効果】
【００１４】
本発明に係る電子銃によれば、ビームスポットの変形を招くことなく、非常にレンズ強度の弱い静電四重極レンズを形成することができる。この結果、静電四重極レンズを形成する一方のスタティックフォーカス電極に印加する電圧を画面全域で一定の固定電圧とすることができる。また、ダイナミックフォーカス電極に印加する電圧を１系統とすることができる。
【００１５】
本発明に係る陰極線管によれば、上記電子銃を備えるので、電子ビームのコンバーゼンス量を少なくしたときに、ビームスポットを変形せず、スタティックフォーカス電圧の画面センターと周辺との電圧差をゼロにすることができるので、画面全域で良好なフォーカスが得られ、高画質化を図ることができる。スタティックフォーカス電圧が画面全域で一定となるため、ダイナミックフォーカス電圧が１系統で済むことにより、製造コストの低減化を図ることができる。
【発明を実施するための最良の形態】
【００１６】
以下、図面を参照して本発明の実施の形態を説明する。
【００１７】
図１は、本発明に係る電子銃の一実施の形態を示す。本実施の形態に係る電子銃１１は、図１Ａに示すように、複数のカソード、本例では３つのカソードＫ〔Ｋ1 ，Ｋ2 ，Ｋ3 〕を備え、カソードＫからスクリーン（蛍光面）方向へ、同軸上に第１電極Ｇ1 、第２電極Ｇ2 、第３電極Ｇ3 、第４Ａ電極Ｇ4A、第４Ｂ電極Ｇ4B、第４Ｃ電極Ｇ5C及び第５電極Ｇ5 が順次配列されて構成される。この電子銃１１はユニポテンシャル型の電子銃である。各電極Ｇ1 〜Ｇ５には、３つのカソードＫｒ，Ｋｇ，Ｋｂに対応して夫々３つのビーム透過孔が形成されている。
【００１８】
動作時、第１電極Ｇ1 には所要の低圧Ｖｃ1 、例えばＧＮＤ電位（０Ｖ）が印加され、第２電極Ｇ2 には所要の低圧Ｖｃ2 が印加される。第３電極Ｇ3 と第５電極Ｇ5 にはアノード電圧ＨＶが印加される。第４Ａ電極Ｇ4Aと第４Ｃ電極Ｇ4Cにはダイナミックフォーカスで夏Ｖｆｄが印加され、第４Ｂ電極Ｇ4Bにはスタティックフォーカス電圧Ｖｆｓが印加される。第５電極Ｇ5 の後段にはこれと一体のシールドキャップ１２が設けられる。
【００１９】
この電子銃１１においては、第４Ａ電極Ｇ4Aと第４Ｂ電極Ｇ４4Bと第４Ｃ電極4 とにより静電四重極レンズが形成され、第３電極Ｇ3 と第４電極Ｇ4 〔第４Ａ電極Ｇ4A，第４Ｂ電極Ｇ4B，第４Ｃ電極Ｇ4C〕と第５電極Ｇ5 でユニポテンシャル型の主電子レンズが形成される。
【００２０】
そして、本実施の形態においては、特に、図１Ｂに示すように、静電四重極レンズ１４を構成するダイナミックフォーカス電極となる第４Ａ電極Ｇ4Aと第４Ｃ電極Ｇ4Cとのビーム透過孔４Ａ，４Ｃを、縦長の角孔に形成し、スタティックフォーカス電極となる第４Ｂ電極Ｇ4Bのビーム透過孔４Ｂも同様に縦長の角孔に形成する。そして、図１Ｃに示すように、ダイナミックフォーカス電極Ｇ4A，Ｇ4Cとスタティックフォーカス電極Ｇ4Bとのビーム透過孔４Ａ，４Ｃ，４Ｂの各横寸法Ｈｄ，Ｈｓを同じ（Ｈｄ＝Ｈｓ）にして、ダイナミックフォーカス電極Ｇ4A，Ｇ4Cのビーム透過孔４Ａ，４Ｃの縦寸法Ｖｄとスタティックフォーカス電極Ｇ4Bのビーム透過孔４Ｃの縦寸法（いわゆる長径の寸法）Ｖｓを制御して、静電四重極レンズ１４のレンズ強度を制御するようになす。即ち、弱いレンズ強度の静電四重極レンズを形成する。ここで、角孔の縦横比は、ビームスポット形状が変形しない程度に大きくした状態で角孔の縦寸法を制御する。
【００２１】
図１Ｃを参照して説明する。ジャストフォーカス時のダイナミックフォーカス電圧Ｖｆｄ、スタティックフォーカス電圧Ｖｆｓを、それぞれＶｆｄｊ，Ｖｆｓｊとすると、Ｈｄ＝Ｈｄの時の静電四重極レンズの強度は
静電四重極レンズの強度＝１／（Ｖｆｄｊ−Ｖｆｓｊ）∝（Ｖｓ−Ｖｄ）
となる。このため、静電四重極レンズ１４の強度は角孔のビーム透過孔の縦寸法Ｖｄ，Ｖｓの大きさで調整できる。
【００２２】
次に、図２〜図４を用いて、図１Ａの電子銃１１において、静電四重極レンズ１４を構成する第４Ａ電極Ｇ4A、第４Ｃ電極Ｇ5Cと第４Ｂ電極Ｇ4Bのビーム透過孔の形状による、ビームスポット形状、静電四重極レンズ、ΔＦｓについて説明する。なお、各図Ａは電極のビーム透過孔の形状、各図Ｂはビームスポット形状、各図Ｃは孔寸法とΔＦｓ（Ｖ）の関係を示すグラフである。
【００２３】
図２Ａは、ダイナミックフォーカス電極となる第４Ａ電極Ｇ4A，Ｇ4Cのビーム透過孔４Ａ，４Ｃを横長の角孔とし、スタティックフォーカス電極となる第４Ｂ電極Ｇ4Bのビーム透過孔４Ｂを円形孔とした場合である。Ｖｄ＝５ｍｍ，Ｈｄ＝７ｍｍ，Ｖｓ＝７ｍｍ，Ｈｓ＝５ｍｍとし、静電四重極レンズを弱くしている。図２Ｂに示すように、ビームスポットが四角状となり悪化している。また、図２Ｃに示すように、ΔＦｓが取りきれない。静電四重極レンズはまだ強い。またＶｓは製造上７ｍｍが限界のため、これ以上の改善は不可能である。
図３Ａは、ダイナミックフォーカス電極となる第４Ａ電極Ｇ4A，Ｇ4Cのビーム透過孔４Ａ，４Ｃを円形孔とし、スタティックフォーカス電極となる第４Ｂ電極Ｇ4Bのビーム透過孔４Ｂを縦長の角孔とした場合である。Ｖｄ＝φ５ｍｍ，Ｈｄ＝φ７ｍｍ，Ｖｓ＝１１〜７ｍｍ，Ｈｓ＝５ｍｍとし、静電四重極レンズを弱くしている。図３Ｂに示すように、ビームスポットが四角状となり悪化している。また、図３Ｃに示すように、ΔＦｓが取りきれない。静電四重極レンズはまだ強い。またＶｓは製造上７ｍｍが限界のため、これ以上の改善は不可能である。
図４は本発明の場合である。図４Ａは、ダイナミックフォーカス電極となる第４Ａ電極Ｇ4A，Ｇ4Cのビーム透過孔４Ａ，４Ｃを縦長の角孔とし、スタティックフォーカス電極となる第４Ｂ電極Ｇ4Bのビーム透過孔４Ｂも縦長の角孔とした。Ｖｄ＝８〜１０ｍｍ，Ｈｄ＝５ｍｍ，Ｖｓ＝９ｍｍ，Ｈｓ＝５ｍｍとし、静電四重極レンズを弱くしている。図２Ｂに示すように、ビームスポットが円形状となり良好である。また、図２Ｃに示すように、Ｖｓを小さくすることなく弱い静電四重極レンズを作ることができるので、ビームスポット形状を悪化させずに、ΔＦｓをゼロにすることが可能となる。
ΔＦｓ＝０では、Ｖｄ＝９．２ｍｍ，Ｖｓ＝９ｍｍとなる。
【００２４】
実施の形態では、上述した電子銃１１を備えて陰極線管を構成する。
なお、上例では、ユニポテンシャル型の電子銃に適用したが、バイポテンシャル型の電子銃にも適用できる。
【００２５】
本実施の形態によれば、電子銃１１において、ビームスポットの変形を招くことなく、非常に弱い静電四重極レンズを形成することができる。この結果、スタティックフォーカス電極である第４Ｂ電極Ｇ4Bに印加するスタティックフォーカス電圧Ｖｆｓは、陰極線管における画面センターと周辺との電圧差ΔＦｓをゼロにすることができる。これによって、画面全域で良好なフォーカスを得ることができる。また、陰極線管の画面全域でスタティックフォーカス電極Ｇ4Bの印加電圧が一定となるため、ダイナミックフォーカス電圧が１系統で済み、コスト低減を図ることができる。
【００２６】
上述の本実施の形態に電子銃の原理的構成は、赤、緑、青の３管式のプロジェクタに用いる単色陰極線管に適用して好適である。図５は、３管式のプロジェクタに用いられる単色陰極線管の実施の形態を示す。このプロジェクタ用の陰極線管２１は、パネル２２、ファンネル２３及びネック２４からなるガラス管体２５を有し、パネル２の内面に単色蛍光面２６が形成され、ネック２４内に複数、本例では２つのカソード３０ａ，３０ｂを有し２つの電子ビーム３２ａ，３２ｂを出射する電子銃３１が配置されてなる。ガラス管体２５の外側には２つの電子ビーム３２ａ，３２ｂを水平、垂直方向に偏向・走査させるための偏向ヨークＣＹが配置される。
【００２７】
本例では、図６に示すように、２つのカソード３０ａ，３０ｂから出射した２つの電子ビーム３２ａ，３２ｂが電子銃３１を通過した後に途中で交叉することなく蛍光面２６上に２つのスポット３７ａ，３７ｂを形成するように成す。カソード３０ａと３０ｂは水平走査方向に対して垂直に並んで配置される。そして、２つのカソード３０ａ，３０ｂから出射された電子ビーム３２ａ，３２ｂで形成される２つのスポット、即ち水平走査方向に対して垂直に離れて並ぶ２つのスポット３７ａ，３７ｂは、互いに略水平走査線間隔の２倍以上の間隔、例えば複数の水平走査線間隔に設定される。２つのスポット間隔を規定する水平走査線間隔とは、厳密な水平走査線間隔、及び許容範囲内、つまり多少のずれがあっても、２つのスポットで描画される画像が重なって見える範囲を含めて、略水平走査線間隔と定義する。
【００２８】
図７に示すように、２つのカソード３０ａ，３０ｂには同じ映像信号を供給するが、いずれか一方のカソード、本例ではカソード３０ａには他方のカソード３０ｂに供給される映像信号より遅延した映像信号が供給される。即ち、カソード３０ａには、カソード３０ｂに供給する映像信号よりも２つの電子ビーム３２ａ，３２ｂが離れた水平走査線分の時間だけ遅延した映像信号が供給される。カソード３０ａへの映像信号の入力は、遅延回路４１を会して行う。遅延時間は１０Ｈ〜２０Ｈ（Ｈは水平走査時間）程度、好ましくは、例えば実際の使用には１０Ｈ遅延させることができる。
【００２９】
本実施の形態の単色陰極線管２１の動作を説明する。
１フィルド（フレーム）期間について考えると、２つのスポット３７ａと３７ｂ間の間隔を水平走査線に対して垂直方向の例えば略複数水平走査線だけ離すことにより、蛍光面２６上の任意の１か所にある蛍光体は、電子ビーム３７ａと３７ｂによって複数水平走査線の時間差をもって励起される。励起された蛍光体の発光は、蛍光体の減衰時間（通常は輝度のピークの１／１０となる時間で定義される）によって減衰する。次に励起されるまでの時間が長居程蛍光体の輝度飽和が起こり難い。従って、２つの電子ビーム３７ａと３７ｂで時間差を置いて蛍光面の同じ位置を２度叩くことで、蛍光体の輝度飽和特性による輝度劣化を回避して高輝度化が可能になる。このような単色陰極線管２１は、特に青色陰極線管に適用して好適である。
【００３０】
このような２ビーム型の単色陰極線管２１の場合、２つの電子ビーム３７ａと３７ｂは複数水平走査線の間隔だけ離れて蛍光面２６に照射されるので、２つの電子ビーム３７ａと３７ｂのコンバーゼンスとしては、１点に集中しないので、コンバーゼンス量は少ないこのときは、上述したように電子銃に内蔵された静電四重極レンズとして、レンズ強度が非常に弱い静電四重極レンズを必要とする。
【００３１】
従って、本実施の形態の単色陰極線管２１においては、その電子銃３１として、例えば前述した図１の電子銃１１と同様の電極構造、ビーム透過孔形状として、且つカソードＫを２つにした電子銃を備えるようにする。
【００３２】
本実施の形態に係る単色陰極線管２１によれば、レンズ強度の弱い静電四重極レンズを有する電子銃３１を備えるので、画面全面で良好なフォーカスを得ることができ、また、ダイナミックフォーカス電圧を１系統とすることができ、高輝度。高画質の単色陰極線管を提供することができる。
【図面の簡単な説明】
【００３３】
【図１】Ａ  本発明に係る電子銃の一実施の形態を示す構成図である。            Ｂ  静電四重極レンズを形成するダイナミックフォーカス電極及びスタティックフォーカス電極のビーム透過孔の形状を示す斜視図である。            Ｃ  静電四重極レンズの強度を制御の説明に供する縦長の角孔の説明図である。
【図２】Ａ〜Ｃ  ダイナミックフォーカス電極のビーム透過孔を横長の角孔とし、スタティックフォーカス電極のビーム透過孔を縦長の角孔としたときのスポット形状とΔＦｓを説明する説明図である。
【図３】Ａ〜Ｃ  ダイナミックフォーカス電極のビーム透過孔を円形とし、スタティックフォーカス電極のビーム透過孔を縦長の角孔としたときのスポット形状とΔＦｓを説明する説明図である。
【図４】Ａ〜Ｃ  本発明に係るダイナミックフォーカス電極のビーム透過孔を縦長の角孔とし、スタティックフォーカス電極のビーム透過孔を縦長の角孔としたときのスポット形状とΔＦｓを説明する説明図である。
【図５】本発明を３管式のプロジェクタに用いる単色陰極線管に適用した場合の実施の形態を示す構成図である。
【図６】図５の２つの電子ビームの蛍光面への照射状態を示す説明図である。
【図７】図５の陰極線管の要部構成の説明に供する説明図である。
【図８】電子ビームが画面センターにフォーカスする状態を示す説明図である。
【図９】電子ビームが画面周辺にフォーカスする時のレンズ構成を示す説明図である。
【図１０】コンバーゼンス量が少ないときの電子ビームが画面周辺にフォーカスする時のレンズ構成を示す説明図である。
【図１１】Ａ  従来の電子銃の例を示す構成図である。              Ｂ  静電四重極レンズを形成するダイナミックフォーカス電極及びスタティックフォーカス電極のビーム透過孔の形状を示す斜視図である。
【符号の説明】
【００３４】
１、１１・・電子銃、Ｋ〔Ｋ1 ，Ｋ2 ，Ｋ3 〕・・カソード、Ｇ1 〜Ｇ5 ・・電極、４、１４・・静電四重極レンズ、４Ａ，４Ｂ，５Ａ，５Ｂ・・ビーム透過孔、Ｖｄ，Ｖｓ・・縦寸法、Ｈｄ，Ｈｓ・・横寸法
【図１】
2005203233.tif 000003
【図２】
2005203233.tif 000004
【図３】
2005203233.tif 000005
【図４】
2005203233.tif 000006
【図５】
2005203233.tif 000007
【図６】
2005203233.tif 000008
【図７】
2005203233.tif 000009
【図８】
2005203233.tif 000010
【図９】
2005203233.tif 000011
【図１０】
2005203233.tif 000012
【図１１】
2005203233.tif 000013